(57)【要約】      （修正有）【課題】デザインの自由度が低く、不意な外力により転写ヘッドが露出し易いという従来の塗膜転写具における課題を解消する。【解決手段】塗膜転写具Ｔを、先端に転写ヘッド１２を有する転写具本体１と、転写具本体１に設けられ組み合わされて転写ヘッド１２を保護する保護位置（Ｃ）から転写ヘッド１２を露出させる待機位置までの間で作動する複数の保護カバー２、３とを備えてなる。そして、少なくとも一つの保護カバー２が、回転動作により保護位置（Ｃ）から待機位置まで作動し得る回転タイプのものとした。【選択図】図１
2020172052.tif 000002
【特許請求の範囲】
【請求項１】
先端に転写ヘッドを有する転写具本体と、この転写具本体に設けられ組み合わされて前記転写ヘッドを保護する保護位置から前記転写ヘッドを露出させる待機位置までの間で作動する複数の保護カバーとを備えてなるものであって、
少なくとも一つの保護カバーが、回転動作により前記保護位置から前記待機位置まで作動し得る回転タイプのものである塗膜転写具。
【請求項２】
対をなす保護カバーを備えたものであって、
一方の保護カバーが回転タイプのものであり、他方の保護カバーがスライド動作により前記保護位置から前記待機位置まで作動し得るスライドタイプのものである請求項１記載の塗膜転写具。
【請求項３】
転写時に下に位置する保護カバーが回転タイプのものであり、上に位置する保護カバーがスライドタイプのものである請求項２記載の塗膜転写具。
【請求項４】
前記両保護カバーを連動させるためのカバー連動機構を備えている請求項２又は３記載の塗膜転写具。
【請求項５】
前記カバー連動機構が、リンク構造をなすものである請求項４記載の塗膜転写具。
【請求項６】
前記カバー連動機構が、前記両保護カバーを連動させる連動領域と、前記保護カバーの連動が解除される連動解除領域とを備えている請求項５記載の塗膜転写具。
【請求項７】
前記スライドタイプの保護カバーが、待機位置において前記転写具本体内に略全体的に没入するように構成されている請求項４、５又は６記載の塗膜転写具。
【請求項８】
前記回転タイプの保護カバーが、前記保護位置において、前記転写ヘッドに回り込んだ形態をなしている請求項１、２、３、４、５、６又は７記載の塗膜転写具。
【発明の詳細な説明】
【技術分野】
【０００１】
本発明は、転写物を転写するための塗膜転写具に関する。
【背景技術】
【０００２】
従来から、不使用時において、転写ヘッドを覆うためのカバーを備えてなる塗膜転写具が知られている。また、近時においては、一対のカバーにより転写ヘッドを保護し得るものも開発されている（例えば、特許文献１参照）。
【０００３】
特許文献１において開示された塗膜転写具は、先端に転写ヘッドを有する転写具本体と、この転写具本体にそれぞれスライド可能に支持された一対の保護カバーとを備えている。対をなす保護カバーは、相互に突き合って転写ヘッドを保護する保護位置と転写ヘッドを露出させる待機位置との間でスライド動作し得るものとなっている。
【０００４】
ところが、この塗膜転写具では、対をなす保護カバーを対向する姿勢で転写具本体に支持させており、それらの保護カバーをスライド前進させて転写ヘッドの先方で突き合わせるようにしているため、保護位置において両保護カバーが鋭角をなして衝合する形にならざるを得ない。このようなものでは、デザインの自由度が低い上に、突き合った両保護カバーの先端に不意な外力が加わった場合に、保護カバーが後退して転写ヘッドが露出してしまう恐れがある。
【先行技術文献】
【特許文献】
【０００５】
【特許文献１】特許第５６０１７０３号公報
【発明の概要】
【発明が解決しようとする課題】
【０００６】
本発明は、以上のような事情に着目してなされたもので、塗膜転写具において、デザインの自由度が低く、不意な外力により転写ヘッドが露出し易いという前述した課題を解消しようとするものである。
【課題を解決するための手段】
【０００７】
すなわち、本発明は次の構成をなしている。
【０００８】
請求項１の転写具は、先端に転写ヘッドを有する転写具本体と、この転写具本体に設けられ組み合わされて前記転写ヘッドを保護する保護位置から前記転写ヘッドを露出させる待機位置までの間で作動する複数の保護カバーとを備えてなるものであって、少なくとも一つの保護カバーを、回転動作により前記保護位置から前記待機位置まで作動し得る回転タイプのものにしている。
【０００９】
ここで、「組み合わされて転写ヘッドを保護する」とは、転写ヘッドを実質的に保護し得る組み合わせであれはどのような態様のものでもよく、複数の保護カバー同士が当接したり、噛みあったりする態様のみならず、隙間を介して近接する態様も含まれる。
【００１０】
請求項２の転写具は、対をなす保護カバーを備えたものに特化したものであり、一方の保護カバーが回転タイプのものであり、他方の保護カバーがスライド動作により前記保護位置から前記待機位置まで作動し得るスライドタイプのものである。
【００１１】
請求項３の転写具は、請求項２記載の構成において、転写時に下に位置する保護カバーを回転タイプのものにし、上に位置する保護カバーをスライドタイプのものにしている。
【００１２】
請求項４の転写具は、請求項２又は３記載の構成を具備し、前記両カバーを連動させるためのカバー連動機構を備えている。
【００１３】
請求項５の転写具は、請求項４記載の構成において、前記カバー連動機構が、リンク構造をなすものである。
【００１４】
請求項６の転写具は、請求項５記載の構成において、前記カバー連動機構が、前記両保護カバーを連動させる連動領域と、前記保護カバーの連動が解除される連動解除領域とを備えているものである。
【００１５】
請求項７の転写具は、請求項４、５又は６記載の構成において、前記スライドタイプの保護カバーが、待機位置において前記転写具本体内に略全体的に没入するように構成されている。
【００１６】
請求項８の転写具は、請求項１、２、３、４、５、６又は７記載の構成において、前記回転タイプの保護カバーが、前記保護位置において、前記転写ヘッドに回り込んだ形態をなしている。
【発明の効果】
【００１７】
以上説明したように本発明によれば、組み合わされて転写ヘッドを保護する複数の保護カバーの少なくとも一つを回転タイプのものにすることにより、デザインの自由度が高くなる上に、不意な外力により転写ヘッドが露出し難い設計を容易に実現することができるものとなる。
【図面の簡単な説明】
【００１８】
【図１】本発明の一実施形態を示す右側面図。
【図２】同実施形態の作動を説明するための右側面図。
【図３】同実施形態の作動を説明するための右側面図。
【図４】同実施形態の左のケースｃ２を省略して内部を示す右側面図。
【図５】図４におけるＡ−Ａ線に沿った断面図。
【図６】同実施形態におけるカバー連動機構の説明用の右側面図。
【図７】同実施形態におけるカバー連動機構の説明用の斜視図。
【図８】同実施形態におけるカバー連動機構の説明用の右側面図。
【図９】同実施形態におけるカバー連動機構の説明用の斜視図。
【図１０】同実施形態におけるカバー連動機構の説明の右側面図。
【図１１】同実施形態におけるカバー連動機構の説明用の斜視図。
【図１２】本発明の第二の実施形態を示す斜視図。
【図１３】同実施形態におけるカバー連動機構の説明用斜視図。
【図１４】同実施形態における斜視図。
【図１５】同実施形態におけるカバー連動機構の説明用斜視図。
【発明を実施するための形態】
【００１９】
以下、本発明の第一、第二の実施形態を説明する。
【００２０】
第一、第二の実施形態は、本発明を、転写すべき塗膜である糊（図示せず）を用紙等の転写対象面に対して転写するための塗膜転写具Ｔに適用したものである。
【００２１】
＜第一の実施形態＞
第一の実施形態である塗膜転写具Ｔについて、図１〜１１を参照して説明する。
【００２２】
第一の実施形態に示される塗膜転写具Ｔは、比較的小型のもので、例えば、かばん類に収納される一般的な大きさのペンケースの中に収容され得る大きさに設定されている。
【００２３】
なお、この明細書で使用する「上、下、左、右」という文言は説明の便宜上のものであり、転写ヘッド１２が突出している側を正面として定義している。すなわち、図１〜３は、塗膜転写具Ｔの右側面図であり、同図における上、下を「上」、「下」とし、同図における手前側を「右」、奥側を「左」として説明する。
【００２４】
塗膜転写具Ｔは、先端に転写ヘッド１２を有する転写具本体１と、転写具本体１に設けられ組み合わされて転写ヘッド１２を保護する保護位置（Ｃ）から転写ヘッド１２を露出させる待機位置（Ｕ）までの間で作動する複数の保護カバー２、３とを備えてなる。そして、一方の保護カバー２を、回転動作により保護位置（Ｃ）から待機位置（Ｕ）まで作動し得る回転タイプのものにしている。
【００２５】
この実施形態では、塗膜転写具Ｔは、対をなす保護カバー２、３を備えたものであり、一方の保護カバー２を回転タイプのものにし、他方の保護カバー３をスライド動作により保護位置（Ｃ）から待機位置（Ｕ）まで作動し得るスライドタイプのものにしている。
【００２６】
塗膜転写具Ｔは、転写操作時において下に位置する保護カバー２を回転タイプのものにし、転写操作時において上に位置する保護カバー３をスライドタイプのものにしている。塗膜転写具Ｔは、両保護カバー２、３を連動させるためのカバー連動機構４を備えている。
【００２７】
以下、この塗膜転写具Ｔについて詳述する。
【００２８】
転写具本体１は、内部に転写物である糊を保持した転写テープＰを収容した本体ケース１１と、本体ケース１１の前側に前方に突出して配された転写ヘッド１２とを備えたものである。
【００２９】
本体ケース１１は、図１及び図２に示すように、内部において、転写テープＰを繰り出すための繰出リールｍと、繰出リールｍから繰り出されるとともに転写ヘッド１２の転写ロール１２１を経由した転写テープＰを巻き取るための巻取リールｎを回転可能に支持している。
【００３０】
本体ケース１１の内部に配された繰出リールｍは、繰出ギアｍｇを一体に保持している。巻取リールｎは、繰出ギアｍｇに噛合する巻取ギアｎｇに支持されている。そして、繰出ギアｍｇ、及び、巻取ギアｎｇを主体にして、繰出リールｍ、及び、巻取リールｎを連動して回転させるためのリール連動機構Ｒを構成している。なお、リール連動機構Ｒは、通常のものであるため、詳細な説明は省略する。
【００３１】
繰出リールｍ、及び、巻取リールｎに巻回される転写テープＰは、フィルム状の基材の一面側に転写物である糊を添付してなる通常のものである。糊により構成される塗膜は、ドット状のものであっても、連続した膜状のものであってもよい。
【００３２】
本体ケース１１は、合成樹脂製のものであり、左右の側壁１１１、１１２と、左右の側壁１１１、１１２の上端縁部間に配された上壁１１３と、左右の側壁１１１、１１２間に配された下壁１１５とを備えている。本体ケース１１は、その先端部に、転写テープＰを転写ヘッド１２の転写端たる転写ロール１２１に導出するとともに、転写ロール１２１を経由した転写テープＰを本体ケース１１の内部に導入するための開口部１１ａを有している。
【００３３】
この実施形態では、本体ケース１１は、左の側壁１１１を有した左のケースｃ１と、右の側壁１１２、上壁１１３、後壁１１４、及び、下壁１１５を有した右のケースｃ２とによって構成されている。これら右のケースｃ１と左のケースｃ２とを組み合わせることにより、繰出リールｍ、及び、巻取リールｎを収容し得る内部空間を有した本体ケース１１が形成されるようになっている。
【００３４】
本体ケース１１には、回転タイプの保護カバー２を軸支するための左右のカバー支持軸１１ｂ、１１ｃと、スライドタイプの保護カバー３をスライド可能に支持するための左右の案内レール１１ｄが設けられている。
【００３５】
左右のカバー支持軸１１ｂ、１１ｃは、本体ケース１１の開口部１１ａの近傍に位置させて左の側壁１１１及び右の側壁１１２の内面から相寄る方向に突出させたものである。左右のカバー支持軸１１ｂ、１１ｃは、相互に軸心を一致させてある。
【００３６】
左右の案内レール１１ｄは、左右の側壁１１１、１１２の内面に突設された突条形態をなすものである。これら案内レール１１ｄと上壁１１３との間には、スライドタイプの保護カバー３の両側縁部をスライド可能に案内する一定幅の案内溝１１ｆが形成されている。
【００３７】
また、これら案内溝１１ｆの奥端側には、側壁１１１、１１２の内面を凹陥させてなる補助溝部１１ｈが形成されている。補助溝部１１ｈの途中には保護カバー３を待機位置（Ｕ）に節度停止させための突起ｋが設けられている。
【００３８】
転写ヘッド１２は、転写物を転写対象物に押し付けて転写するためのものである。転写ヘッド１２は、糊が添付された転写テープＰを転写対象面に押し付ける転写端たる転写ロール１２１と、転写ロール１２１の両側を回動可能に支持する板状をなす左右の支持部１２２と、左右の支持部１２２を連結する横架フレーム１２３とを備えたものである。支持部１２２及び横架フレーム１２３は、左の側壁１１１を有する左のケースｃ１と合成樹脂により一体に形成されている。
【００３９】
転写ヘッド１２の左右方向の幅寸法は、本体ケース１１の対応する幅寸法よりも小さく設定されている。左右の支持部１２２は、横架フレーム１２３に剛結された厚肉部分１２２ａと、厚肉部分１２２ａの先端縁側に形成された薄肉部分１２２ｂとを備えたものである。左右の支持部１２２の薄肉部分１２２ｂ間には、転写ロール１２１が回転可能に架設されている。
【００４０】
次いで、回転タイプの保護カバー２について説明する。
【００４１】
保護カバー２は、転写時すなわち使用者による転写操作が行われる際に本体ケース１１の下に位置するものである。下の保護カバー２は、本体ケース１１のカバー支持軸１１ｂ、１１ｃに軸支されて保護位置（Ｃ）から待機位置（Ｕ）まで回動し得るようになっている。
【００４２】
詳述すれば、保護カバー２は、先端側に転写ヘッド１２の転写ロール１２１を外側から覆い隠す部分円筒体状の被覆部２１ａを有する曲面板状のカバー本体２１と、カバー本体２１の左右両側縁から内方に延出させた左右の端板２２、２３とを備えたものである。カバー本体２１と左右の端板２２、２３は、合成樹脂により一体に形成されている。
【００４３】
換言すれば、保護カバー２は、保護位置（Ｃ）において、転写ヘッド１２の前側を覆うように回り込んだ形態をなしている。
【００４４】
左右の端板２２、２３の内面間の内法寸法は、転写ヘッド１２の支持部１２２における薄肉部分１２２ｂの外面間の外法寸法に対応させてある。そして、保護カバー２は、保護位置（Ｃ）において当該保護カバー２の先端部２ｃを転写ヘッド１２の支持部１２２における薄肉部分１２２ｂに外嵌させることができるようになっている。この外嵌状態において、保護カバー２の外側面２ｄは、転写ヘッド１２における厚肉部分１２２ａの外側面１２ａと略面一に連続するようになっている。
【００４５】
保護カバー２の転写具本体１への取付けは次の通りである。
【００４６】
保護カバー２の左の端板２２の基端部には、軸受ボス２２１が形成されている。軸受ボス２２１には、外側方に開口する軸穴２２２が設けられている。保護カバー２における右の端板２３の基端部には、軸孔２３１が貫設されている。そして、保護カバー２の軸穴２３１に、本体ケース１１のカバー支持軸１１ｃを嵌合させるとともに、保護カバー２における反対側の軸孔２２２に本体ケース１１のカバー支持軸１１ｂを嵌合させることによって、当該保護カバー２が転写具本体１に回動可能に取付けられる。
【００４７】
なお、符号２３２は、軸孔２３１に本体ケース１１のカバー支持軸１１ｂを嵌合させ易くするための切欠である。
【００４８】
次いで、スライドタイプの保護カバー３について説明する。
【００４９】
保護カバー３は、転写時すなわち使用者による転写操作が行われる際に本体ケース１１の上に位置するものである。上の保護カバー３は、本体ケース１１の左右の案内溝１１ｆに左右の両側縁３ａ、３ｂをスライド可能に支持させて転写ヘッド１２を保護する保護位置（Ｃ）から転写ヘッド１２を開放する待機位置（Ｕ）までの間で移動し得るようになっている。
【００５０】
保護カバー３は、緩やかに湾曲する板状のカバー本体３１と、カバー本体３１の左右両側縁から内面側に突出する左右の縁板部３２、３３と、カバー本体３１の先端縁から先方に突出する先端係合部３４とを備えたものである。カバー本体３１、左右の縁板部３２、３３、及び、先端係合部３４は、合成樹脂により一体に形成されている。
【００５１】
左右の縁板部３２，３３の外側面には、節度爪３２ａ、３３ａが一体に突設されている。保護カバー３は、各節度爪３２ａ、３３ａを、本体ケース１１の各補助溝部１１ｈにスライド可能に係合させてある。
【００５２】
補助溝部１１ｈには、前述したように突起ｋが突設されている。保護カバー３を保護位置（Ｃ）から待機位置（Ｕ）までスライド移動させる最終段階で、節度爪３２ａ、３３ａが、各補助溝部１１ｈ内の突起ｋに乗り上げて通過するようになっている。これにより、当該保護カバー３は、待機位置（Ｕ）に仮保持されるようになっている。符号３５は、節度爪３２ａ、３３ａが突起ｋに円滑に係合し得るようにするための弾性変形促進用のスリットである。
【００５３】
次に、以上説明した上の保護カバー２、及び、下の保護カバー３を連動させるためのカバー連動機構４について説明する。
【００５４】
カバー連動機構４は、リンク構造をなすものである。カバー連動機構４は、基端部が本体ケース１１に軸支されたリンクメンバー４１と、保護カバー２の回動動作をリンクメンバー４１に伝達して当該リンクメンバー４１を回動させる駆動ピン４２と、リンクメンバー４１の先端部の動きを保護カバー３に伝達して当該保護カバー３をスライド動作させる従動ピン４３とを備えたものである。
【００５５】
リンクメンバー４１は、本体ケース１１の左の側壁１１１に近接させて配された板状のものである。リンクメンバー４１は、基端部に段付きの軸孔４１１を有するとともに、基端部の軸孔４１１から偏心した縁部分に基端側切欠溝４１２を有している。リンクメンバー４１の基端側切欠溝４１２には、保護カバー２に設けられた駆動ピン４２が摺回動可能に係合させてある。
【００５６】
また、リンクメンバー４１の先端部には、先方に開放された先端側切欠溝４１３が形成されている。リンクメンバー４１の先端側切欠溝４１３には、保護カバー３に設けられた従動ピン４３が摺回動可能に係合させてある。
【００５７】
駆動ピン４２は、保護カバー２における左の端板２２の内面に一体に突設された片持ち軸状のものである。なお、駆動ピン４３が係合するリンクメンバー４１の基端側切欠溝４１２は、途中から開口端に向かって漸次拡開する形状をなしている。そして、保護カバー２が保護位置（Ｃ）から中間位置（Ｍ）に達するまでの連動領域αでは、駆動ピン４２が基端側切欠溝４１２に係合しているが、保護カバー２が中間位置（Ｍ）からさらに待機位置（Ｕ）まで回動する連動解除領域βでは、駆動ピン４２が基端側切欠溝４１２から外れるようになっている。
【００５８】
従動ピン４３は、保護カバー３における左の縁板部３２の内面に一体に突設された片持ち軸状のものである。従動ピン４３は、常時、リンクメンバー４１の先端側切欠溝４１３に係合している。ここで符号４４は、リンクメンバー４１の基端部を回転可能に軸支するリンク支持軸である。リンク支持軸４４は、先端側が二股状をなす片持ち軸状のもので、先端外周には抜止鍔４４１を有している。
【００５９】
なお、図６、図８、及び、図１０は、保護カバー２、３とカバー連動機構４のリンクメンバー４１との関係を説明するための部分的な右側面図である。また、図７、図９、及び、図１１は、保護カバー２、３とカバー連動機構４のリンクメンバー４１との関係を説明するための斜視図である。
【００６０】
以下、塗膜転写具Ｔの作動について説明する。
【００６１】
保護カバー２、３がそれぞれ保護位置（Ｃ）に停止している状態では、図１、図４、図５、図６、及び、図７に示すように、転写ヘッド１２が回転タイプの下の保護カバー２とスライドタイプの上の保護カバー３との組み合わせによって覆われ保護されている。
【００６２】
この状態から、回転タイプの保護カバー２の先端側を下方に回動付勢すると、保護カバー２が転写具本体１に対して回転し、図２、図８、及び、図９に示す中間位置（Ｍ）を経て、図３、図１０、及び、図１１に示す待機位置（Ｕ）にまで達する。
【００６３】
そして、この待機位置（Ｕ）において、保護カバー２は、部材の一時的な弾性変形を利用して凹凸係合する図示しない係合要素の働きにより仮保持されることになる。
【００６４】
保護カバー２が保護位置（Ｃ）から中間位置（Ｍ）に達するまでの連動領域αにおいては、保護カバー２の回動動作がカバー連動機構４の働きによりスライドタイプの保護カバー３に伝達され、保護カバー３が保護位置（Ｃ）から待機位置（Ｕ）までスライドする。
【００６５】
すなわち、保護カバー２が保護位置（Ｃ）から中間位置（Ｍ）に向けて回転すると、保護カバー２の回転中心から偏心した位置に設けられた駆動ピン４２がカバー支持軸１１ｂ周りに公転し、この駆動ピン４２に付勢されてリンクメンバー４１が図６において時計回り方向に回動する。
【００６６】
その結果、リンクメンバー４１の先端側切欠溝４１３に係合している従動ピン４３が、保護カバー３とともに転写具本体１に没入する方向にスライド移動する。そして、回転する保護カバー２が、所定の中間位置（Ｍ）に達する直前に、スライドする保護カバー３の節度爪３２ａ、３３ａが補助溝部１１ｈ内の突起ｋを乗り越えることになり、待機位置（Ｕ）に安定保持される。
【００６７】
保護カバー２を待機位置（Ｕ）から閉じる方向に回転させると、上述した動作と逆の動作が行われる。すなわち、待機位置（Ｕ）にある保護カバー２を中間位置（Ｍ）を経て保護位置（Ｃ）に回転させると、当該保護カバー２の回動動作がカバー連動機構４の働きにより、スライドタイプの保護カバー３に伝達され、保護カバー３が待機位置（Ｕ）から保護位置（Ｃ）までスライドすることになる。
【００６８】
なお、この実施形態では、通常想定される値以上の負荷が保護カバー２の回動時に作用した場合には、中間位置（Ｍ）に到達する前段階であっても部材の弾性変形を利用して駆動ピン４２がリンクメンバー４１の基端側切欠溝４１２から外れるように寸法設定がなされている。そのため、保護カバー３のスライド動作が何らかの詰まり等により阻害されたような場合であっても、保護カバー２の無理な回動操作によりカバー連動機構４の各構成要素に過大な力が作用するのを防止することができ、駆動ピン４２や従動ピン４３が折れるなどの故障を予防することができる。
【００６９】
中間位置（Ｍ）を超えた保護カバー２は、無負荷状態で待機位置（Ｕ）まで回転させることができ、その待機位置（Ｕ）に到達させて保持しておくことができる。しかして、この塗膜転写具Ｔは、その姿勢で転写物の転写作業を行うことが可能となる。
【００７０】
このような構成の塗膜転写具Ｔであれば、使用時には保護カバー２、３を待機位置（Ｕ）に退避させることにより転写ヘッド１２を露出させることができ、非使用時には保護カバー２、３を保護位置（Ｃ）に位置させることにより転写ヘッド１２を保護しておくことができる。
【００７１】
この塗膜転写具Ｔは、二つの保護カバー２、３により転写ヘッド１２を保護するようにしているので、各保護カバー２、３を比較的小さなものにすることができ、非使用時に邪魔にならないように退避させることが容易になる。
【００７２】
しかも、塗膜転写具Ｔは、一方の保護カバー２を回転により保護位置（Ｃ）から待機位置（Ｕ）に移動させるようにしている。そのため、複数の保護カバーをそれぞれスライドタイプのものにしているような従来品に比べて、本実施形態の塗膜転写具Ｔであればデザインの自由度を高めることができるとともに、不測の外力により保護カバー２、３が開いてしまうのを好適に抑制することができるものとなる。
【００７３】
すなわち、一方の保護カバー２を前述したような回転タイプのものにすれば、保護カバー２の先端部のみで転写ヘッド１２における転写ロール１２１の先方領域を覆うことができる。そのため、従来の如く二つの保護カバー同士を先端部において鋭角的に突き合せなければならない構造のものに比べ、本実施形態における塗膜転写具Ｔであれば保護カバー２、３の形状をより自由に設計することが可能になる。
【００７４】
換言すれば、回転タイプの保護カバー２は、保護位置（Ｃ）において、転写ヘッド１２に回り込んだ形態をなしている。このため、保護位置（Ｃ）にある回転タイプの保護カバー２に対して不測の外力が作用した場合には、その外力は保護カバー２を閉じる方向に動作させ得るものとなり易く、保護カバー２が不意に開いてしまうことが好適に抑制される。
【００７５】
例えば、この実施形態に示す塗膜転写具Ｔであれば、先端が丸みを帯びた保護カバー２、３の組み合わせデザインも容易に設計することができるものとなる。
【００７６】
また、塗膜転写具Ｔは、下の保護カバー２を回転させるという特定の操作を使用者が意識的に加えないと転写ヘッド１２を露出させることができないように構成されている。そのため、保護カバー２の先端に物体が衝突するなどして、当該保護カバー２に内方への不測の外力が作用することがあっても、その外力により保護カバー２、３が待機位置（Ｕ）方向に開いてしまう可能性を効果的に低減させることができる。
【００７７】
さらに、この実施形態の塗膜転写具Ｔは、転写時において転写具本体１の下に位置する保護カバー２を回転タイプのものにし、転写時において転写具本体１の上に位置する保護カバー３をスライドタイプのものにしている。そのため、転写姿勢において、使用者が本体ケース１１の上壁１１３に人指し指を乗せて作業を行うことがあっても、上の保護カバー３が邪魔になることがない。そのため、力を込めて転写ヘッド１２を転写対象面に押し付けるようなことも容易に実行できるものとなり、多様な転写姿勢で作業を進めることが可能となる。
【００７８】
塗膜転写具Ｔは、両保護カバー２、３をカバー連動機構４により連動させるようにしているので、保護カバー２、３をそれぞれ別々に操作する場合に比べて手間を省くことができる。
【００７９】
カバー連動機構４が、いわゆるリンク式のものであるため、簡単な構成により両保護カバー２、３を確実に連動させることができるものとなる。
【００８０】
この実施形態のカバー連動機構４は、両保護カバー２、３が連動する連動領域αと、両保護カバー２、３が連動しない非連動領域βとを設けている。このため、カバー連動機構４を設けた塗膜転写具Ｔは、両保護カバー２、３の作動比率を正確に設定することが不要になるだけなく、一方の保護カバー３の作動が途中で阻害されても、他方の保護カバー３を無理なく動かすことができるようにすることも容易に実現することが可能となる。
【００８１】
スライドタイプの保護カバー３が、待機位置（Ｕ）において転写具本体１内に略全体的に没入するように構成されている。このため、塗膜転写具Ｔは、待機位置（Ｕ）から保護位置（Ｃ）に戻す際にスライドタイプの保護カバー３を操作する余地がなくなる。そのため、この実施形態に示される塗膜転写具Ｔであれば、下又は上のいずれの保護カバー２、３を把持して操作すればよいのかという使用者の迷いを無くすことができ、回動タイプの下の保護カバー２のみを操作するように示唆がなされることになる。
【００８２】
＜第二の実施形態＞
続いて、第二の実施形態である塗膜転写具Ｔについて図１２〜１５を参照して説明する。
【００８３】
第二の実施形態は、第一の実施形態と同じく、本発明を、転写すべき塗膜である糊（図示せず）を用紙等の転写対象面に対して転写するための塗膜転写具Ｔに適用したものである。なお、第一の実施形態と同一又は相当する部分には同一の符号を付して説明を省略する。
【００８４】
第二の実施形態に係る塗膜転写具Ｔは、転写具本体１の右側面に配した押釦５１を押圧操作することによって、回転タイプの保護カバー２とスライドタイプの保護カバー３とを連動させて保護位置（Ｃ）から待機位置（Ｕ）まで作動させるようにしたカバー連動機構５を備えている。
【００８５】
カバー連動機構５は、本体ケース１１内に、転写ヘッド１２を備えた基板５２が収容されており、基板５２にケース連動用ギア５３を回転可能に支持させている。
【００８６】
そして、ケース連動用ギア５３に回転タイプの保護ケース２の基端部に設けた外歯ギア５４と、スライドタイプの保護ケース３の内面に設けた内歯ギア５５をそれぞれ噛合させている。つまり、カバー連動機構５は、ケース連動用ギア５３が回転することによって、両保護カバー２、３が連動するようになっている。
【００８７】
基板５２には、片持ち状の板バネ５６が一体に設けられている。板バネ５６の自由端には、押釦５１が設けられている。押釦５１は、ケース連動用ギア５３の回転中心部に臨ませてあり、押釦５１とケース連動用ギア５３との間に押釦５１の進退動作をケース連動用ギア５３の回転動作に変換するカム機構５７が配されている。押釦５１の進退動作をケース連動用ギア５３の回転動作に変換するカム機構５７は、通常のものであるため、説明を省略する。
【００８８】
以上に述べた第二の実施形態に示す塗膜転写具Ｔであっても、所期の目的を達成することができるものとなる。すなわち、組み合わされて転写ヘッド１２を保護する下の保護カバー２及び上の保護カバー３の少なくとも一つである下の保護カバー２を回転タイプのものにしている。このため、デザインの自由度が高くなる上に、不意な外力により転写ヘッドが露出し難い設計を容易に実現することができる塗膜転写具Ｔを提供することができるものとなる。
【００８９】
なお、本発明は、以上に詳述した実施形態に限られるものではない。
【００９０】
塗膜転写具は、転写物を転写対象物に転写するものであればどのようなものであってもよい。換言すれば、転写物は、本実施形態に示された糊に限られるものではなく、例えば、修正用の修正剤（修正テープ）や装飾用の装飾剤（装飾テープ）であってもよい。更に、塗膜転写具は、必ずしも転写テープを利用したものに限られるものではなく、例えば、転写ローラを介してインクや糊を塗布するものであってもよい。
【００９１】
複数の保護カバーは、二つに限られるものではなく、三つ以上の複数であってもよい。
【００９２】
複数の保護カバーは、連動機構により連動しないものであってもよい。すなわち、複数の保護カバーのそれぞれを手動により直接的又は間接的に操作することにより、当該複数の保護カバーを保護位置と待機位置とに位置し得るように構成されたものであってもよい。
【００９３】
例えば、転写具本体に対して回転動作し得る一方の保護カバーを操作者が直接的に回転動作させて当該一方の保護カバーを保護位置と待機位置に位置させ得るものとし、転写具本体に対して前後方向にスライド動作し得る他方の保護カバーを操作者が直接的にスライド動作させて当該他方の保護カバーを保護位置と待機位置に位置させ得るものとしたものが考えられる。
【００９４】
回転動作し得る保護カバーの数も一つに限られるものではない。また、回転動作し得る保護カバーの位置が、転写具本体の上側に配されたものであってもよいのはもちろんのことである。
【００９５】
転写ヘッドは、転写テープを転写対象面に押し付ける機能を発揮するものであればよく、本実施形態に示されるものに限られるものではない。転写ヘッドとしては、例えば、板面を利用して転写対象面に転写テープを押し付けるようにした板状部材等を挙げることができる。
【００９６】
転写ヘッドは、本実施形態で示されたものには限定されない。例えば、転写物を保持した交換部品であるリフィルに転写ヘッドを設け、そのリフィルと本体ケースによって転写具本体を構成するようにしてもよい。換言すれば、塗膜転写具は、転写テープが無くなった場合は以後使用できなくなるいわゆるディスポーザブルタイプのものには限定されるものではない。
【００９７】
その他、各部の具体的構成についても上記実施形態に限られるものではなく、本発明の趣旨を逸脱しない範囲で種々変形が可能である。
【符号の説明】
【００９８】
１…転写具本体
２…保護カバー
３…保護カバー
１２…転写ヘッド
Ｔ…塗膜転写具
（Ｃ）…保護位置
（Ｕ）…待機位置
【図１】
2020172052.tif 000003
【図２】
2020172052.tif 000004
【図３】
2020172052.tif 000005
【図４】
2020172052.tif 000006
【図５】
2020172052.tif 000007
【図６】
2020172052.tif 000008
【図７】
2020172052.tif 000009
【図８】
2020172052.tif 000010
【図９】
2020172052.tif 000011
【図１０】
2020172052.tif 000012
【図１１】
2020172052.tif 000013
【図１２】
2020172052.tif 000014
【図１３】
2020172052.tif 000015
【図１４】
2020172052.tif 000016
【図１５】
2020172052.tif 000017